(57)【要約】好適な実施形態において、ブロー成形したドラム（２２）は、外側のバットレスネジ山とショルダーとを有したポート開口部を備えるネック（３８）を有するポートを有する。パチンとはまる下向きチューブ組立体（２６）は、上記ショルダーの上に載置され、上方に延びるニップルを有する。散布ヘッド又は閉鎖部材のうちの一方は内部に設けられ、螺刻されたナットにより固定される。
2004518585.tif 000002
【特許請求の範囲】
【請求項１】
ポートを備えポート開口部を有した頂部と、該頂部から上方に延伸し同頂部と一体であるとともにネジ山を有したネック部と、垂直方向軸とを有するプラスチック製ドラムと、
前記ネック部内に固定され、前記ドラムの底部を指向して下方に延伸する下向きチューブと、該下向きチューブは上方に延伸する流体連通部を有し該流体連通部は前記ポート開口部内部へ上方に延伸する円筒形密閉面を備えることと、
前記ポートに係合可能なポート取付け組立体とからなり、同組立体は前記ポート開口部内に担持されるための寸法の周囲を有した本体と協働円筒連結部とを有し、同協働円筒連結部は取出上向き移動において同本体を前記ドラムに相対して軸方向上向きに持ち上げたときに前記上方に延伸している流体連通部から取出されるために、前記流体連通部の円筒形密閉面と摺動可能かつ緊密に直接結合するように形成され、前記ポート取付け組立体はネジ山を有した保持部材を有し、該保持部材は前記本体上で回転自在であるとともに係合方向及び離脱方向にて前記ネック部上の前記ネジ山と回転結合可能であり、前記保持部材が前記本体上に軸方向に拘束されていることによって、前記本体は前記保持部材が前記離脱方向に回転したときに前記保持部材によって軸方向上向きに持ち上げられ、前記保持部材は前記本体が離脱上向き移動にあるときに前記ネック部上の前記ネジ山から離脱され、前記取出上向き移動は前記本体の離脱上向き移動よりも上方にある格納装置。
【請求項２】
前記上方に延伸している連結部はニップルとして形成され、前記協働連結部分は下方に延伸するニップル連結部である請求項１に記載の格納装置。
【請求項３】
前記下向きチューブは下向きチューブ組立体の一部であり、同組立体は前記ポート開口部内の適切な位置まで落下され締着される請求項１に記載の格納装置。
【請求項４】
前記ポートは内側を指向して延伸するショルダーを有し、前記下向きチューブ組立体は前記落下チューブ組立体を適切位置に保持するために前記ショルダーと係合する請求項１に記載の格納装置。
【請求項５】
前記保持部材がメネジを有するナットであり、前記ネック部がオネジを有する請求項１に記載の格納装置。
【請求項６】
散布ヘッドとドラムとからなり、該ドラムはポート開口部を形成しているネックと、前記ポート開口部内に固定されている下向きチューブ組立体とからなり、該下向きチューブ組立体は円筒形密閉面を有した上方に延伸するニップルを有し、前記ネックはネジ山を有し、前記散布ヘッドは本体と、リテーナナットと、前記ニップルの円筒形密閉面でスライドして密閉する円筒形の部分を含むフレア管として形成されたニップル係合部分とからなり、前記本体は前記ニップル係合部分と前記下向きチューブ組立体の前記ニップルとの間に水密な密閉部を形成すべく前記ポート開口部を密閉可能、かつ前記下向きチューブ組立体に軸方向に連結可能であり、前記リテーナナットは前記本体に相対して回転可能であるとともに、前記ポート開口部にて前記散布ヘッドを前記ドラムへ固定するために締まる方向に前記ネック上で前記ネジ山と係合可能、及び、前記ドラムから前記散布ヘッドを取り外すために緩む方向に係合可能であり、前記リテーナナットが前記本体上に軸方向に拘束されていることによって、前記リテーナナットを緩む方向に回転したときに、前記本体は軸方向上向きに持ち上げられ、前記リテーナナット及び前記ネックは、前記リテーナナットを前記ネック上のネジ山から離脱させる前に前記ニップル係合部分を前記ニップルから摺動によって取り外し可能となるように形成されている格納装置。
【請求項７】
前記上方に延伸する連結部はニップルとして形成され、前記協働連結部は下方に延伸するニップル係合部分である請求項６に記載の格納装置。
【請求項８】
前記下向きチューブ組立体は前記ポート開口部内の適切な位置まで落下され締着される請求項６に記載の格納装置。
【請求項９】
前記ポートは内側を指向して延伸するショルダーを有し、前記下向きチューブ組立体は前記落下チューブ組立体を適切位置に保持するために前記ショルダーと係合する請求項６に記載の格納装置。
【発明の詳細な説明】
【０００１】
（発明の背景）
本発明は、格納装置に関する。より詳細には、ポートを有したプラスチック製ドラムと、同ポートに連結され、又はポートを閉鎖するための取付け組立体を備え、半導体作製の業界において特に有用な格納装置に関する。
【０００２】
ブロー成形された熱可塑性ドラムは、多くの用途において鋼鉄製ドラムに取って代わっている。特に半導体作製においては、収容されるべき薬剤は非常に純粋であり、金属に対する反応性が非常に高いために反応を起こし、金属との接触によって汚染される。このようなドラムは通常、高密度ポリエチレンからブロー成形される。ドラム及び取付け組立システム内の流体と接触するポリエチレン（ＰＥ）内のあらゆる添加物を低減させることが望ましい。何故なら、このような添加物は、非常に純粋な薬剤内に拡散し、化学薬品を汚染する恐れがあるからである。このようなドラムは、ドラムの劣化を防止するために、又は最小限度に軽減するためにドラムの外部に紫外線防止剤を塗布することを規定する運輸省規制に適合する必要がある。ドラムの外側ではポリエチレンに添加剤を添加する必要があり、内側では流体接触面に非常に純粋なポリエチレンを塗布する必要があるとの課題は、ドラムのブロー成形の間での複数層状のパリソンの使用によって解決されてきた。
【０００３】
高純度薬剤の収容或いは散布に使用されるための公知のプラスチック製ドラム格納装置は、その構造に多数の密閉部を有するために複雑であり、そのため比較的高価である。高価であることにより、システム構成部品を１回で使い捨てにしないで何回も繰り返して使用することになる。構造が複雑な理由の１つは、ブロー成形工程における欠陥を克服する一方で、ポート連結部及び非常に高度な緊密性を有した閉鎖部を設ける必要があるからである。これらの欠陥は、主としてブロー成形工程の間にポート箇所の螺刻面や密閉面を形成することに内因した大きな許容誤差による。上記システムは従来、ブロー成形工程の間に形成されるドラムネック内側のネジ山を使用してきた。二次付属品はネックと螺合され、二次付属品と頂縁部又はネックの少なくとも上面との間で密閉リングを、軸方向に圧迫する。射出成形による二次付属品は、密閉ヘッド又は散布ヘッドを取り付けるための適当な螺刻面及び密閉面となる。例えば、米国特許第５，５２６，９５６号、５，５１１，６９２号、５，６６７，２５３号、５，６３６，７６９号、及び５，１０８，０１５号を参照されたい。これら米国特許は全て引用によって本明細書の記載に援用する。従来、二次付属品と密閉ヘッド又は散布ヘッドとの間の結合には、軸方向に装着したＯリングを使用してきた。上記格納装置の場合には、軸方向に装着したＯリングは好適頻度を越える頻度で交換する必要があり、散布ヘッド及び密閉ヘッドの締付けトルクは、微妙な力加減が必要になる。寿命の長いＯリングを提供し、締付けトルクをそれほど微妙に調整しなくてもすむ密閉システムの開発が待望されている。
【０００４】
さらに、これらの二次付属品は通常、これら二次付属品がドラムポートのネック内側のネジ山と係合するために相当な環状空間を必要とする。このように空間を使用する必要があるために、流れダクトとして利用可能な空間は制限される。さらに、内側ネジ山を清掃することは困難である。
【０００５】
このような格納装置は、ドラム内の薬剤の吸引による放出のために、散布ヘッド及び下向きチューブ組立体を利用することがある。従来、このような散布ヘッド及び下向きチューブ組立体の構造は、いくつかの密閉面を有して複雑であるために、正確に成形又は機械加工する必要があった。それぞれが最小数の密閉面を有した簡単な散布ヘッド及び下向きチューブ組立体を使用する格納装置の開発に対する需要がある。
【０００６】
半導体製造業界で使用するような高純度薬剤用の密閉ヘッド及び散布ヘッドにおいて、密閉面及び連結面を提供する簡単な格納装置の開発が待望されている。このようなシステムは、簡単な構造の部品と、最小数のＯリングを備えたものであり、高度な連結及び閉鎖を行うものでなければならない。
【０００７】
上記ポート用の閉鎖部材は、通気孔を有しても有しなくてもよく、ドラム内に発生した圧力を解放するための弁を有していてもよい。このような閉鎖部材は通常、外部に露出している開口部、穿孔、工具用凹部、及び部材間の界面を有して複数の部材から形成されている。上記開口部、界面、凹部及び穿孔は、不純物、汚染物、ドラムの内容物又はその他の物質の収集点の作用を及ぼし得る。さらに、上記開口部、穿孔、及び界面は、ドラムの内容物を漏洩させる経路となり得、或いはドラム内部への汚染物の入り口ともなり得る。最小数の穿孔、通気孔、部材間の界面を有した閉鎖部材の開発が待望されている。理想的には、上記閉鎖部材は、露出した穿孔、開口部又は閉鎖部材の部材間の界面を全く有さず、ネックを完全に覆う平滑な外部筐体を有する。
【０００８】
さらに、二次付属品の密閉部に対向させた状態における、プラグなどの内側ネジ山により直接密閉する密閉は、上記プラグを直接締着させる必要があり、密閉部においてドラムの内容物を紫外線防止添加剤と接触させないためには、プラグ外部もまた紫外線防止剤を含有すべきでないが、これは理想的な状況ではない。ネック上のネジ山により締着される部品の部分が、ネック開口部を密閉し、ドラムの内容物に直接接触する部分ではないような閉鎖部材の開発が待望されている。
【０００９】
従来の散布ヘッドは、散布ヘッド上のフランジをポートに固定するリテーナナットによりポートに装着され得る。通常リテーナナットは、下向きの力又は締着力を提供するのみである。散布ヘッドの離脱、及び散布ヘッド内のすべての流体連結部の取り外しは、別々に手動で行われる。すなわち、まずリテーナナットを緩め、次に散布ヘッドを上に持ち上げる。散布ヘッド内の複数の流体連通部が軸方向に連結された同軸上の部材である場合には、上記の手動による取り外しを行うときに機械的な抵抗を受ける場合がある。このような抵抗は予測不能な突然の緩みや分離を生じ、同軸上の部材から残りの流体を噴出させ得る。半導体作製のような業界の場合には、使用される流体が非常に高い腐食性を有し、相当の傷害を引き起こし得る。
【００１０】
散布ヘッドの取り外しの間に、散布ヘッド内の流体連通部を、制御された状態で安全に離脱可能な装置の開発が待望されている。
（発明の概要）
好適な実施形態においてブロー成形されたドラムは、外側のバットレスネジ山とショルダーとを有したポート開口部を備えるネックを有するポートを有する。パチンとはまる下向きチューブ組立体はショルダー上に載置され、上方に延伸するニップルを有する。散布ヘッド又は閉鎖部材は、その内部に設けられ、螺刻されたリテーナナットで固定される。散布ヘッドは、上方に延びるニップルで密閉するために、ニップル係合部分に延びる第１の流れダクトと、第２の流れダクトとを備える。第２の流れダクトは戻り流体ライン用に、或いは排出した流体に取って代わる空気又はガスを提供するためにニップル周囲の環状空間へと延伸する。好適な実施形態において螺刻されたナットは、軸方向の締着力を提供するとともに、リテーナナットを緩めた場合にニップルとのニップル係合部分を離脱させる、軸方向に分離するための力を提供する。
【００１１】
他の好適な実施形態において密閉部は好適には、Ｏリングなど、スリーブの円筒形密閉面と係合及び密閉するための円筒形の内部ライナー部分からなり、ネック及びリテーナナット上の互いに協働しているバットレスネジ山の間の螺旋状空隙を含む通路を有する。気体は通すが、ドラム内の流体の漏洩は防止するために、多くの微細な孔を有した膜を通路内に設けてもよい。
【００１２】
本発明の１つの利点及び特徴は、下向きチューブ組立体が、簡単に下向きに落下し、適切位置に締着されることにある。
本発明の１つの利点及び特徴は、ニップルを使用する下向きチューブ組立体により簡単に連結可能である、高い密閉性を有した信頼性の高い密閉を行うことができることである。
【００１３】
本発明の１つの利点及び特徴は、簡単な下向きチューブ組立体を容易に組み立てることができ、比較的安いコストで製造することができ、そのために、ドラム及び下向きチューブ組立体の１回使用を容易に行うことができることである。
【００１４】
本発明の１つの利点及び特徴は、複数層からなるドラムに上記のような密閉部を適切に設けることにより、密閉部の外部全体の露出しているポリエチレンに紫外線防止剤を含有させ得る一方で、ドラムの内容物に露出しているポリエチレンは紫外線防止剤を含有しないことにある。さらに、密閉は緩やかに結合している密閉部の２つの部材の一部のみによって達成される。即ち、シェルからネック上のネジ山と係合している個々の部材にトルクが伝わらない。さらに、空隙ライナーの径方向の密閉はシェル部分の締着に依存しないため、その致命度が最小限度に軽減される。
【００１５】
本発明のもう１つの利点及び特徴は、リテーナナットによって散布ヘッドと下向きチューブ組立体との間の流体連通部を、制御された状態で離脱可能であることにある。制御可能な離脱により、離脱作業中、高度の安全性が得られる。
【００１６】
（好適な実施形態の詳細な説明）
図１を参照する。全体を参照番号２０で示す、本発明の格納装置が示される。
本発明の主な部材は、融着スリーブ２４を備えるブロー成形ドラム２２、下向きチューブ組立体２６、及び散布ヘッド３２又は閉鎖部材３４であり得るポート取付け組立体３０である。ドラムは、それぞれがネック３８とポート開口部３９を備えている一組のポート３５，３６を有する。
【００１７】
ブロー成形ドラムは、ほぼ平坦な底部４０、ほぼ平坦な頂部４２、上部チャイム４４、下部チャイム４６を有する点で、当業者に公知のドラムに類似している。ほぼ円筒形をなす側壁４８と、一般に極度に高純度の薬剤内容物５２を保持するための空洞の内部５０を有する。
【００１８】
図２を参照する。上記ブロー成形ドラムの形成一般に適した種類のブロー成形装置の断面図である。ブロー成形装置５６は、パリソン押出し部分５８、一組の金型部分６０，６２、及びブローピン６４を有する。好適な実施形態のブローピン６４は、ブロー成形工程の開始前に、その上に挿入された射出成形スリーブ７０を有する。型の両方が合体すると、パリソンが上記射出成形スリーブ部分に押し付けられ、それに融着される。型の一部７６，７８は、好適には、ブロー成形ドラムのネック３８外側のバットレスネジ山を形成するために、その上で面８０を形成するネジ山を有する。
【００１９】
スリーブは、確実な機械的連結を促進すべく適切な構造を有する。
図３，４，５，６を参照する。これらの図は、ポート３５、ポート取付け組立体３０及び下向きチューブ組立体２６を詳細に示す図である。図４は、下向きチューブ組立体２６、ポート３５及び散布ヘッド３２の分解図である。ポート３５は、ネック３８及びスリーブ２４からなるネック部３７を有する。ネック部３７は、外側バットレスネジ山８０、頂縁部８２及びポート開口部３９を有する。ネック３８内には、図６にその斜視図を示すスリーブ２４が設けられる。スリーブは、上部リップ８６、着座面９２を有したショルダーとして形成された第１の係合構造体９０を有する。スリーブは、ほぼ円筒形をなし、Ｏリング密閉面９８及び下向きフィンガー係合部分９９を有した内周辺部９４を備える。軸Ａがポート３２を貫通していて、ネック及び円筒形の周辺部９４が、同軸、同心であることに留意されたい。
【００２０】
図３，４，５を再び参照する。下向きチューブ組立体２６は、下向きチューブ１０２、ニップル１０４として形成された上向きに延伸する流体連通部、及び環状支持部材１０８からなる。環状支持部材１０８は、周辺部１１０及び複数の環状通路１１２を有する。周辺部１１０に、斜めの楔部分１２０及び係合面１２２を有し下方に延びるフィンガーとして形成された第２の係合構造体１１６が設けられる。環状支持部材は、フランジとして形成されたストップ部材１２６を有する。特に図３について説明すると、下向きチューブ組立体２６は、ポート開口部３９内へと下方に向かって延び、ショルダー９０においてスリーブ２４に締着され、載置され、係合する。フィンガー１１６の係合面１２２は、ショルダーの下面１３０上にロックされる。環状支持部材のフランジ１２６は、ショルダーの頂部に位置する。図３は、４つの第２の係合構造体１１６であり、その中の２つは断面図で示す。
【００２１】
好適な実施形態においてスリーブ２４は、ネック３８とスリーブとの間のインタフェース１３２のところに融着される。密閉係合の別の手段は、溶接、接着、ネジによる係合のような特定の用途に適している。
【００２２】
再び図３を参照する。散布ヘッド３２は、中央の第１の流れダクト１４２及び第２の流れダクト１４４を備える本体１４０からなる。散布ヘッド３２は、ニップル１０４を取り付けるのに適した大きさで、ニップル１０４と密閉係合するフレア管の形状をなすニップル係合部分１４８として形成された下向きに延びる流体連通部を有する。図３Ａは、収束部分１４９を有した中空部１４７として形成されたニップル係合部分１４８の一実施形態を示す。ニップル１０４及びニップル係合部分１４８の周囲を環状空間１５２が包囲している。環状空間は、第２の流れダクト１４４と流体連通している。環状通路１１２も、上記環状空間１５２に連通しるため、第２の流れダクト１４４を頂部４２に隣接するドラムの内部５０に連通している。散布ヘッドは、また、ナットの形に形成され、ネック３８の外側バットレスネジ山と協働するための形状及び大きさを有した内側バットレスネジ山１６０を有したリテーナ１５６を有する。散布ヘッドは、第１の流れダクト及び第２の流れダクトを、それぞれチューブに連結するための２つの連結部１６４，１６６を有する。図に示すように、連結部は、本発明の譲受人であるフルオロウェア  インコーポレーテッド社が、商標ＦｌａｒｅＴｅｋ（登録商標）として市販しているフレア管コネクタとして形成されている。
【００２３】
本体１４０は、例えばペルフルオロアルコキシ（ＰＦＡ）などフッ素重合体のように化学的に不活性なプラスチックから適切に射出成形することができる。本体は、図の実施形態の場合には、Ｏリング溝を有した円形周辺部１７４を備える円筒形の部分１７０を有する。本体は、また、リテーナ１５６と係合し、リテーナとスリーブの頂面１８２との間に固定されるための、径方向外側に指向して延伸するフランジ部１８０を有する。散布ヘッドとポートとの間の主な密閉部は、この実施形態の場合には、本質的に径方向の密閉を行うＯリング１８６の一部である。すなわち、リテーナ１５６によりポートに固定されている散布ヘッドが供給する軸方向の力は、Ｏリング１８６の圧迫又はそれが提供する密閉の統合性に影響を与えない。Ｏリングは、フルオロエチレンプロピレン（ＦＥＰ）に内蔵されたシリコンから適当に形成することができる。二次密閉は、フランジ１８０とスリーブの頂面１８２との間のインタフェース１８８により行うことができる。
【００２４】
ニップル係合部分１４８は、リテーナによる固定がショルダー１９１にて行われ、その環状係合面１９２が、ニップル１０４の開口部１９６を囲む上部周辺面に対向するような適切な大きさを有する。それ故、ニップル係合部分１４８は、上部周辺面にて密閉を行い、上記フレア管の円筒形の部分１９８とニップルの外部の円筒形の面１９９との間を半径方向に密閉するために適切な大きさを有する。第１の流れダクトの大きさは、下向きチューブ組立体を貫通する中空部２０６の大きさと同じである。
【００２５】
下向きチューブ組立体は、個々の射出成形又は機械加工したプラスチック部材から適当に形成することができるが、理想的には、溶接又は他の方法で接合されるＰＦＡのような化学的に不活性なプラスチックから形成される。
【００２６】
図７〜１１を参照する。これらの図面は、閉鎖部材３４及びその構成部材として形成されたポート取付け組立体３０を示す。閉鎖部材はシェル部分２２２として形成されたリテーナ内に回転自在に係合されたキャップライナー２２０として形成された本体２１２からなる。シェル部分２２２は、周囲２３４を有した頂部２３２と一体に形成され、ほぼ円筒形状をなす側壁２３０の内側バットレスネジ山２２６を有している。キャップライナー２２０は、Ｏリング２４４を担持するＯリング溝として形成された円形周辺部２４２を備え、下向きに延伸する円筒形部分２４０を有する。上記Ｏリングは、スリーブ２４の内部円筒形の周辺部９４を径方向に密閉する。ライナーは、穿孔を有さず中実であってもよい。或いは別法においては凹部２５２内に固定され、穿孔２６０を備えた微細孔膜２５０を有していてもよい。穿孔２６０は、キャップライナーを貫通してシェル部分と通路２７０を形成しているキャップライナーとの間の内部空間２６４内へと延びる。通路は、内側バットレスネジ山２２６とネック３８の外側バットレスネジ山８０との間の螺旋間隙２６６へと延伸し、同螺旋ギャップからなる。バットレスネジ山は、閉鎖部材がネック３８に確実に固定されていても、緩やかに固定されていても、通路２７０をなす間隙２６６を有して形成される。
【００２７】
好適な実施形態の閉鎖部材のシェル部分２２２は、紫外線防止添加剤を含有する。キャップライナー２２０は好適には、紫外線防止剤などの添加剤を含有しない極度に高純度のポリエチレンから形成される。キャップライナーは、ドラムの内部接触面２９０上の、同じく非常に高純度のポリエチレンから形成可能である。図７について説明すると、破線は、壁部の３つの層を示す。内部層２９０は、極度に高純度のポリエチレンである。外部層２９２は一般に、紫外線防止剤を含有するポリエチレンから形成される。内部層２９４は、成形工程又はリサイクルドラムからのリサイクルのスクラップポリエチレンから製造可能である。それ故、図７の複数層のドラム及び閉鎖部材を使用することにより、閉鎖部材を適切位置に設置した場合、紫外線防止剤を含むポリエチレンは、ドラムの内容物に接触しないし、極度に高純度のポリエチレンは外部に露出されない。
【００２８】
図８について説明すると、この図は、本発明の重要な部材であるＯリング２４２を詳細に示す図である。Ｏリングの密閉面９８は、直立しているほぼ垂直な溝のない円筒形の側壁２９８上に位置している。それ故、Ｏリングに最小の負荷を与えることにより、又はＯリングに軸方向の負荷を与えないで密閉が行われ、これは、ほぼ径方向のみに負荷が加わる密閉であり、この密閉により、密閉の寿命を容易に長くし、リテーナ２２２の締付けを容易に行うことができる。
【００２９】
図１２〜１４を参照する。これらの図は、本発明の特定の実施形態の制御された離脱機能を詳細に示す図である。散布ヘッド本体１４０は、リテーナナット１５６がポートのネックに対して圧縮するフランジ付き部分１８０を有する。この実施形態において、その一部３１４が露出しているガセット３１２は、散布ヘッドを離脱し、ニップル及びニップル係合部分などの流体連通部を切り離すためにリテーナナット１５６を緩めた場合に、スラスト部材３２２が作用する係合部分３１６を提供する。同様に、第１の係合部分３１６に対向して設けられる第２の係合部分３２０はスラスト担持部を提供する。スラスト部材３２２は、スラスト部材をリテーナナットの上方、かつ第１及び第２の係合部分３１６，３２０の下方に適用及び載置させるために開くことができるスリット３３０を有し、弾性及び剛性を有したプラスチックから形成される。スラスト部材はさらに、散布ヘッド本体１４０上での設置及び除去を促進する薄厚部分３３６を有する。弾性Ｏリング３４０は、散布ヘッド本体１４０上の適切位置に載置されたスラスト部材を保持するために、円周方向の溝３４４に嵌合される。スラスト部材内のアパーチャ３４４は、散布ヘッド本体の外部形状に適合するような形状をなす。これは、散布ヘッド本体の壁の厚さが最も薄く維持される場合に最適である。
【００３０】
ポートのネック上にリテーナナット及び散布ヘッドを固定した状態で、リテーナナットを緩めると、スラスト部材が上方に押され、散布ヘッド本体の係合部分３１６、３２０も上方に押される。それにより、ニップル係合部分が、ニップル上を軸方向にスライドし、ニップルから離脱される。リテーナナットのネジ付き部分３４８、及びニップル係合部分の長さが適当な長さになり、リテーナナットをポートのネックから完全に緩める前に、ニップルとニップル係合部分とを分離することができる。
【００３１】
図１５〜１７を参照する。これらの図面は、流体連通部を切り離す目的で、散布ヘッド本体上に上向きの切離し力を加えるために、リテーナナット又は中間スラスト部材と係合することができるさらに他の係合部材を示す。これらの実施形態は、すべてのネジ付きリテーナナット及びネジ付きネックのリフト機構１３９を使用する。図１５は、散布ヘッド本体１４０上の追加のネジ３５２、及び係合部材の位置合わせに対する調整機能を供給するネジ付き係合部材３５４を示す。図１６は、リテーナナットが、下方に摺動可能であり、効果的にリテーナナットを捕捉する上方への摺動を防止する一体型の楔型係合部材を示す。図１７は、散布ヘッド本体内に圧力により押し込まれたプラスチック製ピン３６０を示す。
【００３２】
本発明の精神又はその本質的な属性から逸脱することなしに、本発明を他の特定の形で実施することができる。それ故、本発明の実施形態を、すべての点で、例示としてのものであり、本発明を制限するものではないと見なすべきである。本発明の範囲を知るには、上記説明ではなく、添付の特許請求の範囲を参照されたい。
【図面の簡単な説明】
【図１】特定部分の詳細を明らかにするため、ドラムと密閉部の一部を露出した状態の格納装置を示す立面図。
【図２】本発明のドラムを製造するためのブロー成形装置の断面図。
【図３】プラスチック製ドラムの散布ヘッド及びポートの断面図。
【図３Ａ】代替のニップル係合部分を有した散布ヘッドの断面図。
【図４】ドラムの下向きチューブ組立体、散布ヘッド、及びポートの分解断面図。
【図５】下向きチューブ組立体を示す斜視図。
【図６】本発明のスリーブを示す斜視図。
【図７】本発明のポート上の適切位置に設けられた閉鎖部材を示す断面図。
【図８】本発明のドラムのポートと係合している閉鎖部材の一部を詳細に示す断面図。
【図９】本発明のキャップライナーを示す底面図。
【図１０】図９のキャップライナーの平面図。
【図１１】閉鎖部材のシェル部分の斜視図。
【図１２】制御された状態での離脱機能を有する散布ヘッドを示す分解斜視図。
【図１３】図１２の散布ヘッドの本体を示す部分断面図。
【図１４】スラスト部材を示す平面図。
【図１５】本発明の散布ヘッドの本体を示す断面図。
【図１６】本発明の散布ヘッドの本体を示す断面図。
【図１７】本発明の散布ヘッドの本体を示す断面図。
【国際公開パンフレット】
2004518585.tif 000003
2004518585.tif 000004
2004518585.tif 000005
2004518585.tif 000006
2004518585.tif 000007
2004518585.tif 000008
2004518585.tif 000009
2004518585.tif 000010
2004518585.tif 000011
2004518585.tif 000012
2004518585.tif 000013
2004518585.tif 000014
2004518585.tif 000015
2004518585.tif 000016
2004518585.tif 000017
2004518585.tif 000018
2004518585.tif 000019
2004518585.tif 000020
2004518585.tif 000021
2004518585.tif 000022
2004518585.tif 000023
2004518585.tif 000024
2004518585.tif 000025
2004518585.tif 000026
【国際調査報告】
2004518585.tif 000027